(57)【特許請求の範囲】
【請求項１】
チューナによって復調された多重化デジタルデータを放送番組データと番組情報とに分離し、前記放送番組データを選局指示に従い選局して表示すると共に、上記番組情報に基づき電子番組表を作成し表示するデジタル放送受信装置において、
前記放送番組データを選局指示に従い選局して蓄積するデータ蓄積部と、
前記データ蓄積部に蓄積される放送番組データの前記番組情報を記憶する番組情報記憶部と、
番組の視聴を開始する際、前記番組情報記憶部に記憶されている番組情報に基づき、少なくとも前記データ蓄積部に蓄積されている前記放送番組データの番組情報が掲載された電子番組表を作成し表示する表示制御部と、
を有し、
前記表示制御部は、電子番組表を作成し表示する際、前記データ蓄積部に蓄積されている前記放送番組データの番組情報と現在放送中の放送番組データの番組情報と現在放送中の番組に続いて放送される番組に関する情報とを番組ジャンルに従いグループ化し、グループ化された各番組情報を前記番組ジャンルの各グループ毎に番組の放送開始日時との相対時間関係に基づいて整列させ、前記データ蓄積部に蓄積されている前記放送番組データの番組情報と現在放送中の番組データの番組情報と現在放送中の番組に続いて放送される番組に関する情報とが番組ジャンル毎にグループ化された電子番組表を作成し表示する、
ことを特徴とするデジタル放送受信装置。
【発明の詳細な説明】
【技術分野】
【０００１】
この発明は、デジタル放送受信装置に関するものであり、特に、ＢＳ放送等によるデジタル情報の記録・再生機能を有するデジタル放送受信装置の番組表の提示手法に関する。
【背景技術】
【０００２】
図６は、特開平１１−１１２８９９号公報に記載された従来のデジタル放送受信装置の構成を簡略化して示すブロック図である。図６に示すように従来のデジタル放送受信装置は、チューナ３１、入力部３２、選局部３３、多重化分離部３４、デコード部３５、番組情報処理部３６、表示制御部３７、テレビモニタ３８を有している。
【０００３】
以下、図６に示した従来のデジタル放送受信装置の動作について説明する。チューナ３１は受信したデジタル放送信号を復調する。入力部３２は、リモコンなどによって視聴者が指定したチャンネル情報を選局部３３に出力する。選局部３３は、視聴者が選局したときに多重化分離部３４へ選局すべきチャンネルを指示する。
【０００４】
多重化分離部３４は、チューナ３１から出力された多重化デジタルデータをサービス情報データと放送番組データに分離し、該放送番組データのうち、選局部３３から送られたチャンネルのデータをデコード部３５に送出すると共に、該サービス情報データを番組情報処理部３６に出力する。デコード部３５は、多重化分離部３４から送出された放送番組データをアナログ変換して、テレビモニタ３８に出力する。番組情報処理部３６は多重化分離部３４で分離されたサービス情報データを取得して、常に最新のサービス情報データが利用可能なごとく処理を行う。また、番組情報処理部３６は表示制御部３７からの指示に従い、内部に保持されたサービス情報データを検索して、必要なサービス情報データを表示制御部３７に送る。
【０００５】
表示制御部３７は、入力部３２の入力内容に基づいて必要なデータを番組情報処理部３６に指示して入手し、該サービス情報データに基づいて電子番組表を作成し、テレビモニタ３８の画面に表示させる。テレビモニタ３８では、デコード部３５でデコードされた放送番組データ、及び表示制御部３７からの電子番組表を表示する。
【０００６】
【特許文献１】特開平１１−１１２８９９号公報
【発明の開示】
【発明が解決しようとする課題】
【０００７】
しかし、このような従来のデジタル放送受信装置によると、放送されたデジタルＢＳ放送信号をその内部に記録し再生するための手段を設け、その手段により蓄積された番組を再生させて視聴する場合には、記録されたデジタルＢＳ放送信号中に含まれる該信号を記録した時点で放送中あるいはその後に放送された番組に関する情報が提示されることになり、視聴者が実際にその時点で視聴可能な番組に関する情報を取得することが不可能である、という問題があった。
【０００８】
また、このような従来のデジタル放送受信装置によると、その内部に放送されたデジタルＢＳ放送信号を記録し再生するための手段を設け、現在放送中の番組を視聴する場合には、現在放送中あるいは今後放送される予定の番組に関する情報のみの提示が可能である。また、記録再生手段を用いて蓄積された番組を視聴する場合には記録されたデジタルＢＳ放送信号中に含まれる、該信号を記録した時点で放送中あるいはその後に放送された番組に関する情報のみの提示が可能である。このため、視聴者が実際にその時点で視聴可能な番組に関する情報のすべてを網羅的に取得することが不可能である、という問題もある。
【０００９】
本発明は、このような問題を解決するために成されたものであり、デジタル放送番組を蓄積する場合に、蓄積された番組に関する番組情報を視聴者に提示することのできるデジタル放送受信装置を提供することを目的とする。
【課題を解決するための手段】
【００１０】
上記課題を解決するため、この発明のデジタル放送受信装置では、チューナによって復調された多重化デジタルデータを放送番組データと番組情報とに分離し、前記放送番組データを選局指示に従い選局して表示すると共に、上記番組情報に基づき電子番組表を作成し表示するデジタル放送受信装置において、前記放送番組データを選局指示に従い選局して蓄積するデータ蓄積部と、前記データ蓄積部に蓄積される放送番組データの前記番組情報を記憶する番組情報記憶部と、番組の視聴を開始する際、前記番組情報記憶部に記憶されている番組情報に基づき、少なくとも前記データ蓄積部に蓄積されている前記放送番組データの番組情報が掲載された電子番組表を作成し表示する表示制御部と、を有し、前記表示制御部は、電子番組表を作成し表示する際、前記データ蓄積部に蓄積されている前記放送番組データの番組情報と現在放送中の放送番組データの番組情報と現在放送中の番組に続いて放送される番組に関する情報とを番組ジャンルに従いグループ化し、グループ化された各番組情報を前記番組ジャンルの各グループ毎に番組の放送開始日時との相対時間関係に基づいて整列させ、前記データ蓄積部に蓄積されている前記放送番組データの番組情報と現在放送中の番組データの番組情報と現在放送中の番組に続いて放送される番組に関する情報とが番組ジャンル毎にグループ化された電子番組表を作成し表示することを特徴とする。
【発明の効果】
【００１５】
以上説明したように、放送番組データを選局指示に従い選局して蓄積すると共に、その蓄積された放送番組データの番組情報を記憶し、番組の視聴を開始する際、記憶されている番組情報に基づき、少なくとも蓄積されている放送番組データの番組情報が掲載された電子番組表を作成し表示するようにしたので、現在放送中の番組や将来放送中の番組に関する番組情報と、記録された番組の情報を一元的に視聴者に提示することが可能となり、記録番組のみならずすべての視聴可能な番組からの視聴者の番組選択における利便性を高めることができる。
【００１６】
また、現在および将来放送される放送番組データの番組情報と、蓄積されている放送番組データの番組情報とを、それらの番組の放送開始日時に従い整列させた電子番組表を作成し表示するようにしたので、視聴者により視聴可能な番組が時系列的に一元表示することができ、記録番組および現在放送中番組の区別なく、視聴者が所望の視聴選択を簡単に達成できる。
【００１８】
また、電子番組表を作成し表示する際、各番組情報を番組ジャンルに従いグループ化し、グループ化された各番組情報を各グループ毎に番組の放送開始日時に従い整列させた電子番組表を作成し表示するようにしたので、ジャンル毎に番組情報をユーザに提示でき、より視聴者の番組選択における利便性を高めることができる。
【００１９】
また、グループ化された各番組情報を各グループ毎に番組の放送開始日時に従い整列させる際、さらに他のグループの番組の放送開始日時にも従い整列させるようにしたので、より視聴者の番組選択における利便性を高めることができる。
【発明を実施するための最良の形態】
【００２０】
実施の形態１．
以下、本発明に係るデジタル放送受信装置の実施の形態について、図面を用いて具体的に説明する。また、図中の太線はデジタル情報データの流れを示し、通常線は制御信号及び制御に関わるデータの流れを示しているものとする。
図１は、本発明の実施の形態１に係るＢＳデジタル放送受信装置の構成を示すブロック図である。チューナ１の入力には、受信されたデジタル放送信号が接続されている。チューナ１の出力は、データ蓄積部９の入力、および選択スイッチ１０の一方入力に接続されている。データ蓄積部９の出力は選択スイッチ１０の他方入力に接続されている。選択スイッチ１０の出力は多重化分離部４の入力に接続されている。多重化分離部４の出力は、デコード部５および番組情報処理部６の一方入力に接続されている。デコード部５の出力は表示部１２の一方入力に接続されている。表示部１２の出力はテレビモニタ８の入力に接続されている。尚、この図１では、データ蓄積部９および選択スイッチ１０を多重化分離部４の前段に設け、放送番組データとサービス情報データとに分離される前の多重化デジタルデータ全てを蓄積するようにしているが、データ蓄積部９および選択スイッチ１０を多重化分離部４の後段に設けて、多重化デジタルデータから分離された放送番組データのみを蓄積するようにしても勿論よい。
【００２１】
選択制御部３の出力は、データ蓄積部９、選択スイッチ１０、番組情報記憶部１１および多重化分離部４の入力と接続されている。また、選択制御部３の入力には、入力部２および番組情報記憶部１１が接続されている。番組情報記憶部１１は、選局制御部３および番組情報処理部６と相互に入出力を接続されている。番組情報処理部６は表示制御部７と入出力を接続されている。入力部２はリモコンからの信号を受け動作するとともに、一方出力を選択制御部３に、他方出力を表示制御部７に接続されている。表示制御部７は他方の出力を表示部１２に接続されている。
【００２２】
まず、ユーザの関与なしに通常に放送番組を視聴する動作について説明する。選局制御部３は選択スイッチ１０に指示を送り、チューナ１から入力される放送番組データのうち再生を行うべき放送番組データを含む多重化デジタルデータのみを選択スイッチ１０へ送る。選択スイッチ１０は選局制御部３からの制御により、チューナ１からの信号を多重化分離部４へ送るべく動作を行う。多重化分離部４は、選択スイッチ１０から出力された多重化デジタルデータをサービス情報データと放送番組データとに分離し、該放送番組データのうち選局制御部３から送られたチャンネルのデータをデコード部５に送出すると共に、該サービス情報データを番組情報処理部６に出力する。
【００２３】
デコード部５は、多重化分離部４から送出された放送番組データをアナログ変換して、表示部１２に出力する。また、番組情報処理部６は多重化分離部４で分離されたサービス情報データを取得して、常に最新のサービス情報データが利用可能なごとく処理を行う。また、番組情報処理部６は表示制御部７からの指示に従い、内部に保持されたサービス情報データを検索して、必要なサービス情報データを表示制御部７に送る。
【００２４】
表示制御部７は、入力部２の入力内容に基づいて必要なデータを番組情報処理部６に指示して入手し、該サービス情報データに基づいて電子番組表を作成し、その表示データを表示部１２に送る。表示部１２では、上記放送データと番組表データとを重畳して表示画面を生成し、テレビモニタ８の画面に表示させる。テレビモニタ８では、デコード部５でデコードされた放送番組データ、及び表示制御部７からの電子番組表が表示される。
【００２５】
ここまでの動作において、本実施の形態１にかかるＢＳデジタル放送受信装置は、現在伝送されている、現在あるいは将来放送される番組の番組表をユーザに提示することが可能となる。ユーザは、提示された番組表を参照して、その時点で視聴可能な複数の番組の中から視聴を希望する任意の番組を選択する。さらに、本装置においては番組の記録動作が可能であり、ユーザによる記録番組の選択は、該番組表を用いて行うことにより現在放送中の番組のみならず、将来放送される予定の番組に対しても可能である。将来放送予定の番組を記録する場合は、選局制御部３が現在時刻を把握することにより、その番組の放送時刻の到来時に以下の動作を行うことになる。
【００２６】
次に、ユーザの関与による番組の記録動作について説明する。ユーザは、入力部２を介して選局制御部３に記録番組を指示する。このとき、チューナ１から出力される放送番組データを含む多重化デジタルデータは、選択スイッチ１０及びデータ蓄積部９にそれぞれ入力されている。番組の記録動作と同時に、記録中の番組をユーザが視聴する場合には上に説明した通常の番組視聴動作と同じ動作を行うことで可能となる。
【００２７】
選局制御部３から番組を記録する指示を受けたデータ蓄積部９は、その番組の指示された記録位置に復調された放送番組データを含む多重化デジタルデータを記録し、追って選局制御部３より番組の終了やユーザからの指示に基づく記録終了の指令が出るまで、または蓄積容量の不足など蓄積部内部の状態による要因から記録を終了すべき時点まで記録を継続する。このデータ蓄積部９における実際の蓄積動作と同時に、記録された番組に関する番組情報の取得と記憶の動作が行われる。
【００２８】
また、選局制御部３は多重化分離部４に指示を出して、番組情報処理部６が多重化分離部４で分離されたサービス情報データを取得して、現在記録中の番組に対するサービス情報データが利用可能なごとく処理を行わせる。番組情報記憶部１１では、選局制御部３からの指示により、現在記録中の番組に関する番組情報を記憶する。現在記録中の番組に関する番組情報とは、選局制御部３から与えられるデータ蓄積部９中に蓄積された多重化デジタルデータの記録位置等の情報や、番組情報処理部６から与えられるサービス情報データ中に含まれる番組タイトルや、番組詳細、放送チャンネル名、放送日時などの情報である。
【００２９】
なお、ユーザによって指定された記録番組が将来放送予定の番組であった場合には、その番組の先頭からの記録を確実に行うために、選局制御部３は、指示された番組の開始時間に数秒から数分先立ち、多重化分離部４を通して放送されるデジタルデータ中の番組進行情報を取得することで指定された番組が予定通りに伝送されるか否かの確認を行い、記録ミスを防ぐようにする。
【００３０】
次に、ユーザの指示による現在視聴可能な番組全ての番組情報を番組表に表示させる番組の視聴動作について説明する。ユーザはリモコンなどを利用して入力部２に指示を出し、現在視聴可能な番組の選択動作に入る。ここでの番組の選択においては、テレビモニタ８上に表示される番組表が用いられる。番組情報処理部６は表示制御部７からの指示に従い、番組表の作成に必要なデータの準備を行う。つまり、まず、現在放送中の番組に関連する番組情報は、多重化分離部４から分離された現在放送中の番組のサービス情報データから取得する。この番組情報には、現在放送中の番組および将来放送予定の番組に関連する情報が含まれている。また、これまでにデータ蓄積部９に記録された番組に関する番組情報は、上記記録動作において番組情報記憶部１１に記憶されている。
【００３１】
現在放送中の番組の番組情報およびにデータ蓄積部９に記録された番組に関する番組情報を取得した番組情報処理部６では、該番組情報を検索して、必要な番組情報を表示制御部７に送る。表示制御部７は、入力部２の入力内容に基づいて必要な番組情報を番組情報処理部６に指示して入手し、該番組情報に基づいて電子番組表を作成して、表示部１２を介しテレビモニタ８の画面に表示させる。
【００３２】
本実施の形態１にかかる上記電子番組表の構成としては、図２に示すように記録された番組に関する情報と現在放送中の番組に関する情報のみを、かつ、一覧可能な体裁で表示することができる。番組表の作成においては、表示されるすべての番組についてその放送開始日時をキーとして順に並べ表示させる。
【００３３】
図２は、実施の形態１におけるテレビ画面上の番組表１３の表示例を示している。番組表１３は以下の要素で構成された番組情報の集合から構成されている。ひとつの番組に対する情報は、放送されたチャンネル名１４、放送日付１５、放送時間１６、番組タイトル１７及び番組の詳細説明１８である。これらのうち、放送日時に関しては、主として記録された番組に対するユーザへの情報提示の目的で用いられ、現在放送中の番組に対する情報としては、生放送である旨提示することも可能である。また、一画面ですべての番組情報が表示不可能である場合には、表示画面を切り替え、またはスクロールなどすることによって、ユーザにすべての番組に関する情報を提示可能なよう構成することはいうまでもない。
【００３４】
通常の電子番組表と比較すると、図２に示す本発明にかかる装置における実施の形態１での番組表では、通常の番組表においては表示される将来放送予定の番組に関する情報提示は行われず、装置内に記録された番組の情報が表示されている。これは、ユーザがこの番組表を利用する時点でユーザの視聴可能な番組の一覧を示す番組表となっている。これによって、ユーザはその番組が生放送なのか、過去のものなのかを意識することなく、かつ、その時点で視聴可能な番組を即座に選択決定できることを意味する。ただし、将来放送予定の番組に関する番組情報の提示を行うようにしても良いことは勿論である。
【００３５】
ユーザはこの番組表１３を元に、視聴する番組を決定しリモコンなどの入力手段を用いて本装置に通知する。以降は図１に戻り、視聴の動作の説明を続ける。入力部２を通じて、記録された番組あるいは現在放送中の番組のいずれかの番組視聴を指示された本装置では、それらの放送データの再生動作に移る。まず、選局制御部３は番組情報記憶部１１及び番組情報処理部６から、選択された番組の再生にかかる情報を取得する。現在放送中の番組を選択した場合には、選局制御部３は選択スイッチ１０を現在放送中の放送信号が多重化分離部４へ送られるよう制御する。多重化分離部４以降の信号および動作の流れとしては、上記した通常放送番組視聴の場合と同一であり、ここでは省略する。
【００３６】
ユーザが記録された番組の視聴を選択した場合には、選局制御部３は選択スイッチ１０をデータ蓄積部９からの番組データが多重化分離部４へ送られるよう制御するとともに、データ蓄積部９内の選択された番組データの送出を開始させる。このとき多重化分離部４においては番組データの処理は行い、デコード部５以降で実際の番組再生動作は、上記通常放送番組再生と同様に行うが、番組情報処理部６へ出力する番組関連情報の処理は行わない。なぜなら、データ蓄積部９に記録されたデジタル放送データ中の番組関連情報は再生時点では過去のものであり、データ処理を行っても無意味なものとなるからである。また、選択され再生される記録済み番組に関する情報については、番組情報記憶部１１に記憶されており、番組情報処理部６ではこの情報を用いて、必要な時点で表示制御部７、表示部１２を通じてユーザへの情報提供を行うことが可能である。
【００３７】
尚、上記実施の形態１の説明において、番組情報記憶部１１を不揮発性の記憶手段とすることで、本装置への電源供給が停止した場合にもデータ蓄積部９内に蓄積された番組の情報を失うことなく保持することが可能であることはいうまでもない。また、番組情報記憶部１１は本装置の実装においてデータ蓄積部９内に配置することも可能であり、この場合には記憶素子の点数を削減し低コスト化を図ることも可能である。
【００３８】
また、上記実施の形態１の説明において、電子番組表中に情報を表示される番組の対象として、記録された番組と現在放送中の番組として示したが、これに加えて、記録された番組を視聴した場合の視聴時間を考慮して、現在放送中の番組に続いて放送される番組に関する情報を同時に表示して、視聴者の長時間での番組選択の一助となる情報提供手法を採用することも可能である。
【００３９】
また、上記実施の形態１の説明において、電子番組表中に情報を表示される番組の順として、すべての表示番組についての放送開始日時をキーにソートする旨記述した。このような構成をとることで、例えば、表示する番組情報のうちの番組時間長に関して、通常の長さのものが主である状態においては、生放送の番組が上位に並べられ、下位に記録済み番組の新しいものから順に並べられることになる。そして、長時間の生放送番組と、それより後刻に開始され既に記録された番組との組合せの場合には、生放送番組より記録済み番組のほうが、放送開始時刻が後になり、上位に表示されることになる。このように、現在視聴可能な番組を一元管理し、すべてをユーザに提示可能な構成をとることができる。
【００４０】
以上のように、本実施の形態１に係るＢＳデジタル放送受信装置によると、視聴可能な番組に関連する番組情報を番組表によりユーザに提示する際、蓄積しておいた番組の番組を含む現在視聴可能な番組に関する情報すべてを一元で提示可能と構成するようにしたので、ユーザの視聴にかかる利便性を向上させることが可能となる。
【００４１】
実施の形態２．
上記実施の形態１においては、記録番組に関する情報の提示に関して、番組一覧のソートを、すべての番組の放送開始日時をキーとして行うよう構成した。しかし、この表示において現在放送中の番組と、次に放送予定の番組、また、記録済みの番組と、それぞれを区別して表示するよう構成することも可能である。
【００４２】
尚、本実施の形態２に係るＢＳデジタル放送受信装置の構成は、図１に示す実施の形態１のものと同じであり、表示制御部７における番組表の作成の仕方が異なるだけであるので、以下、本実施の形態２に係るＢＳデジタル放送受信装置の動作について、図１を用いて主に上記実施の形態１との相違点を中心に説明するものとする。本実施の形態２においても現在放送中の番組の視聴や記録については本実施の形態１と同じ動作を行う。
【００４３】
本実施の形態２では、ユーザの指示により、視聴可能な番組の一覧提示としての番組表を作成する際に、表示制御部７は番組情報処理部６より番組表作成に必要な番組情報を入手し、表示部１２に向けて入手した番組情報を含む番組表構成データを伝送する。
【００４４】
本実施の形態２にかかる上記電子番組表の構成としては、図３に示すように記録された番組に関する情報と現在放送中の番組に関する情報のみを、かつ、一覧可能な体裁で表示することができる。番組表の作成においては、表示されるすべての番組についてその放送開始日時をキーとして順に並べ表示させることができると同時に、既に記録された番組についてはその旨を表示し、その番組をユーザがその時点で視聴せずとも、後刻視聴可能であるという情報をユーザに与えることが可能となる。
【００４５】
図３は、本実施の形態２におけるテレビ画面上の番組表２１の表示例を示している。  番組表２１は、以下の要素で構成された番組情報の集合から構成されている。ひとつの番組に対する情報は、放送されたチャンネル名１４、放送日付１５、放送時間１６、番組タイトル１７及び番組の詳細説明１８である。そして、この番組表２１において、現在生放送中の番組については放送中であることを示す”生放送”等の情報の表示１９を行うことでユーザに、記録またはその時点での視聴への動機付けを行うことができる。もちろん次に放送される予定であることを示す”次放送”等の情報の表示２０を付加することで、さらにユーザの視聴時間考慮への一助となることはいうまでもない。この番組表の提示により、ユーザはその時点で最も視聴したい番組の選択を行い、リモコンなどの入力装置を介して指示を送ることができる。
【００４６】
また、本実施の形態２にかかる番組表の説明においては、現在放送中の番組または次に放送される予定の番組に関して、ユーザへの情報提示を行う旨記述したが、これとは逆に記録された番組に関しての情報提示とすることや、それらを併用することでも同様の効果を発揮することできる。さらに、本実施の形態２にかかる番組表の説明においては、文字情報にてユーザへこれらの情報提示を行う旨記述したが、この情報提示は文字情報のみならず、色、記号、領域への模様付加などのグラフィカルな情報を単独であるいは加えて用いることでユーザへの情報提示効果を向上させることが可能である。
【００４７】
このように、本実施の形態２に係るＢＳデジタル放送受信装置によると、視聴可能な番組に関連する情報をユーザに提示する手段として、現在視聴可能な番組に関する情報すべてを一元で提示可能と構成することに加えて、さらに詳細な放送状態に関する情報を提示するよう構成することによって、ユーザの視聴にかかる利便性を向上させることが可能となる。
【００４８】
実施の形態３．
上記実施の形態１においては、記録番組に関する情報の提示に関して、番組一覧のソートを、すべての番組の放送開始日時をキーとして行うよう構成した。しかし、この表示において番組の内容（ジャンル）によってその配列を区別して表示するよう構成することも可能である。
【００４９】
尚、実施の形態２と同様に、本実施の形態３に係るＢＳデジタル放送受信装置の構成は、図１に示す実施の形態１のものと同じであり、表示制御部７における番組表の作成の仕方が異なるだけであるので、以下、本実施の形態３に係るＢＳデジタル放送受信装置の動作について、図１を用いて主に上記実施の形態１との相違点を中心に説明する。本実施の形態３においても現在放送中の番組の視聴や記録については本実施の形態１と同じ動作を行う。
【００５０】
本実施の形態３では、ユーザの指示により、視聴可能な番組の一覧提示としての番組表を作成する際に、表示制御部７は番組情報処理部６より番組表作成に必要な情報を入手し、表示部１２に向けて番組表構成データを伝送する。
【００５１】
本実施の形態３にかかる上記電子番組表の構成としては、記録された番組に関する情報と現在放送中の番組に関する情報のみを、かつ、一覧可能な体裁で表示することができる。番組表の作成においては、表示されるすべての番組についてその放送開始日時をキーとして順に並べ表示させると同時に、その番組一覧をジャンルごとさらに整列させ提示する。
【００５２】
各番組に対するジャンル情報は、各番組の放送時に付随して送られてくる番組関連情報の中に記述されている。具体的には、ＡＲＩＢ（（社）電波産業会）発行のＳＴＤ−Ｂ１０（デジタル放送に使用する番組配列情報）規格に準拠する放送形態であれば、サービス情報中のＥＩＴ（Ｅｖｅｎｔ  Ｉｎｆｏｒｍａｔｉｏｎ  Ｔａｂｌｅ）中に含まれるコンテンツ記述子中に記述されるよう規定されている。
【００５３】
図４は、本実施の形態３におけるテレビ画面上の番組表２２の表示例を示している。番組表２２は以下の要素で構成された番組情報の集合から構成されている。図４では本実施の形態３にかかる番組表の一例として、ニュースおよびスポーツ番組の二つのジャンルに着目した例示としており、それぞれニュース番組表２３およびスポーツ番組表２４という二つのジャンル別番組表から番組表２２が構成される。各ジャンル別番組表内においての番組の表示は、本発明にかかる実施の形態１の説明と同じでありここでは詳細な説明を省略する。ひとつの番組に対する情報は、放送されたチャンネル名１４、放送日付１５、放送時間１６、番組タイトル１７及び番組の詳細説明１８である。この番組表の提示により、ユーザはその時点で最も視聴したい番組の選択を行い、リモコンなどの入力装置を介して指示を送ることができる。
【００５４】
また、本実施の形態３にかかる番組表の図示においては、現在放送中の番組または次に放送される予定の番組に関して、ユーザへの情報提示を行う旨記述したが、これまでの実施の形態と同様に、これは逆に記録された番組に関しての情報提示とすることや、それらを併用することでも同様の効果を発揮する。さらに、本実施の形態３にかかる番組表の説明においては、文字情報にてユーザへこれらの情報提示を行う旨記述したが、この情報提示は文字情報のみならず、色、記号、領域への模様付加などのグラフィカルな情報を単独であるいは加えて用いることでユーザへの情報提示効果を向上させることが可能である。
【００５５】
また、本実施の形態３にかかる別の番組表の図示例を、図５に示す。図５の番組表２５においては、図４と同様のジャンル別の番組表（ニュース番組表２６、スポーツ番組表２７）を持つと同時に、それらジャンル別番組表の表示において、各番組の放送開始日時順に整列されている。これによって、ユーザは直感的にその番組の新旧、特に現在放送中の番組と記録された番組との相対時間関係などを知ることが可能となる。
【００５６】
このように、本実施の形態３に係るＢＳデジタル放送受信装置によると、視聴可能な番組に関連する情報をユーザに提示する手段として、現在視聴可能な番組に関する情報すべてを一元で提示可能と構成することに加えて、さらに表示される番組のジャンルといった詳細な放送状態に関する情報を提示するよう構成することによって、ユーザの視聴にかかる利便性を向上させることが可能となる。
【００５７】
尚、上記実施の形態１〜３では、ＢＳのデジタル放送信号を受信するＢＳデジタル放送受信装置により説明したが、本発明は、これに限らず、ＣＳや地上波によるデジタル放送信号を受信するデジタル放送受信装置でも勿論適用可能である。
【図面の簡単な説明】
【００５８】
【図１】本発明の実施の形態１に係るＢＳデジタル放送受信装置の構成を示すブロック図である。
【図２】本発明の実施の形態１に係るＢＳデジタル放送受信装置によって表示される番組表の一例を示す図である。
【図３】本発明の実施の形態２に係るＢＳデジタル放送受信装置によって表示される番組表の一例を示す図である。
【図４】本発明の実施の形態３に係るＢＳデジタル放送受信装置によって表示される番組表の一例を示す図である。
【図５】本発明の実施の形態３に係るＢＳデジタル放送受信装置によって表示される番組表の他の一例を示す図である。
【図６】従来のＢＳデジタル放送受信装置の構成を簡略化して示すブロック図である。
【符号の説明】
【００５９】
１  チューナ、２  入力部、３  選局制御部、４  多重化分離部、５  デコード部、６  番組情報処理部、７  表示制御部、８  テレビモニタ、９  データ蓄積部、１０  選択スイッチ、１１  番組情報記憶部、１２  表示部、１３，２１，２２、２５  番組表、２３，２４，２６，２７  ジャンル別番組表。
【図１】
0004790774.tif 000002
【図２】
0004790774.tif 000003
【図３】
0004790774.tif 000004
【図４】
0004790774.tif 000005
【図５】
0004790774.tif 000006
【図６】
0004790774.tif 000007